(57)【要約】【課題】送信側に送信の成功と受信側の状態を通知し、かつ、その際に受信側で課金されることのないメール送受信端末を提供する。【解決手段】メール送信端末が、メール受信端末から受信確認のための応答に付加されるメッセージを受信し表示することで、メール送信成功と同時に受信側の状態を知ることができる。また、メール受信端末が受信確認のための応答にメッセージを付加して送信することで、受信端末ユーザが何らかの事情により端末を手元に持っていなくてもメール返信が可能であり、また、受信シーケンスの中で相手に自分の状況を通知するため、受信側に課金されることがない。【選択図】      図２
2004355548.tif 000002
【特許請求の範囲】
【請求項１】
メールを作成し、そのメールをメール受信端末へ送信するメール送信端末であって、
前記メール受信端末から受信確認のための応答を受信してユーザに送信完了を通知する通知手段と、
前記メール受信端末において前記応答に付加して送信するメッセージを受信し、そのメッセージを表示する表示手段と、
を備えたことを特徴とするメール送信端末。
【請求項２】
送信側で作成され送信されるメールを受信し、受信確認のための応答を返信する受信シーケンスを持つメール受信端末であって、
あらかじめ、前記メールを受信したときに前記送信側に通知するメッセージを作成し登録する登録手段と、
前記メールを受信したときに、前記応答に前記登録されたメッセージを付加して返信する返信手段と、
を備えたことを特徴とするメール受信端末。
【請求項３】
メール送信端末で作成され送信されるメールをメール受信端末が受信し、受信確認のための応答を返信する受信シーケンスを持つメール受信確認システムであって、
前記メール受信端末は、あらかじめ、前記メールを受信したときに前記送信側に通知するメッセージを作成し登録する登録手段と、前記メールを受信したときに、前記応答に前記登録されたメッセージを付加して返信する返信手段とを備え、
前記メール送信端末は、前記メール受信端末から受信確認のための応答を受信してユーザに送信完了を通知し、前記メール受信端末において前記応答に付加して送信するメッセージを受信し、そのメッセージを表示することを特徴とするメール受信確認システム。
【請求項４】
前記メール送信端末で作成され送信されるメールはＵＵＩメールであり、前記メール受信端末は、前記受信確認のための応答返信時、ＣＣアラートの受信確認フォーマットに登録したメッセージを追加して前記メール送信端末にメッセージ表示を行うことを特徴とする請求項３に記載のメール受信確認システム。
【発明の詳細な説明】
【０００１】
【発明の属する技術分野】
本発明は、メール送信端末、メール受信端末、メール受信確認システムに関する。
【０００２】
【従来の技術】
メッセージを入力してＵＵＩ（Ｕｓｅｒ  Ｕｓｅｒ  Ｉｎｆｏｒｍａｔｉｏｎ：ユーザ間情報通知）メールを送信すると、受信側端末はメールの構成を確認し、そのメールを受信する。
上記したＵＵＩを用いたメールサービスにおいて、そのメールは、図４に示される、ＣＣ（Ｃａｌｌ  Ｃｏｎｎｅｃｔ）呼設定、ＣＣ応答、ＣＣ切断、ＣＣ解放、ＣＣ解放解放などの完了等のＵＵＩ要素を用いて送信される。
【０００３】
図４に示されるように、送信側端末で作成され送信されるメールを受信した受信側端末は、受信確認のための応答（ＣＣ応答）を返信する。従って、送信側は、メール送信が完了した時点で“送信完了”の旨を表示（「送信完了しました」）することができるが、受信側がそれに対するメールを返信しない限り、受信側の状況を知ることはできない。
このよう、送信側端末から受信側端末に一方的にメールが送信されるため、旅行等により受信側が手元に端末を所持せず、長い間メール操作ができない場合等、返信されることなく、送信側に不快な思いをさせることが多々ある。
【０００４】
このことを解決するために、ユーザの状況および相手の属性に対応して受信メールの対応を制御することにより、受信メールへの最適な対応を可能にした携帯電話が提案されている（特許文献１参照）。
【０００５】
特開２００２−３５４０７６号公報（〔００１１〕、図５）
【０００６】
【発明が解決しようとする課題】
上記した先行技術によれば、一度メールを受信し、その情報から相手に適格に返信する内容を事前に登録されているデータから選びメールを返信する。この場合、返信時にも新たにメールを送信するため、受信側も課金されることになる。
また、メール送信後すぐに電源断や弱電界等でメールの送受信が困難になった場合、相手にその状態を通知することができない。これらは、送信側から受信側と、受信側から送信側の２つの送信シーケンスを必要とするためである。
【０００７】
本発明は上記事情に鑑みてなされたものであり、受信側が受信シーケンスの中で相手に自分の状態を通知することにより、送信側に送信の成功と受信側の状態を通知し、かつ、受信側で課金されることのない、メール送信端末、メール受信端末、メール受信確認端末を提供することを目的とする。
【０００８】
【課題を解決するための手段】
上記した課題を解決するために本発明は、メールを作成し、そのメールをメール受信端末へ送信するメール送信端末であって、前記メール受信端末から受信確認のための応答を受信してユーザに送信完了を通知する通知手段と、前記メール受信端末において前記応答に付加して送信するメッセージを受信し、そのメッセージを表示する表示手段と、を備えたことを特徴とする。
本発明によれば、メール送信端末が、メール受信端末から受信確認のための応答に付加されるメッセージを受信し表示することで、メール送信成功と同時に受信側の状態を知ることができる。
【０００９】
上記した課題を解決するために本発明は、送信側で作成され送信されるメールを受信し、受信確認のための応答を返信する受信シーケンスを持つメール受信端末であって、あらかじめ、前記メールを受信したときに前記送信側に通知するメッセージを作成し登録する登録手段と、前記メールを受信したときに、前記応答に前記登録されたメッセージを付加して返信する返信手段と、を備えたことを特徴とする。
本発明によれば、メール受信端末が受信確認のための応答にメッセージを付加して送信することで、受信端末ユーザが何らかの事情により端末を手元に持っていなくてもメール返信が可能であり、また、受信シーケンスの中で相手に自分の状況を通知するため、受信側に課金されることがない。
【００１０】
上記した課題を解決するために本発明は、メール送信端末で作成され送信されるメールをメール受信端末が受信し、受信確認のための応答を返信する受信シーケンスを持つメール受信確認システムであって、前記メール受信端末は、あらかじめ、前記メールを受信したときに前記送信側に通知するメッセージを作成し登録する登録手段と、前記メールを受信したときに、前記応答に前記登録されたメッセージを付加して返信する返信手段とを備え、前記メール送信端末は、前記メール受信端末から受信確認のための応答を受信してユーザに送信完了を通知し、前記メール受信端末において前記応答に付加して送信するメッセージを受信し、そのメッセージを表示することを特徴とする。
本発明によれば、メール受信端末が受信確認のための応答にメッセージを付加して送信し、これを受けたメール送信端末がそのメッセージを表示することで、受信側は受信シーケンスの中で課金されることなく自分の状況を伝えることができ、また、送信側は、メール送信成功と同時に受信側の状況を知ることができる。従って、メール受信端末のユーザは何らかの理由で端末を手元に持っていなくてもメール返信が可能であり、また、海外等に出かけ、あるいは長時間の会議等で返信できない場合等、相手に自分の状況を一連のメール送信シーケンスの中で伝えることができる。
【００１１】
また、本発明において、前記メール送信端末で作成され送信されるメールはＵＵＩ（ユーザ間情報通知）メールであり、前記メール受信端末は、前記受信確認のための応答返信時、ＣＣアラートの受信確認フォーマットに登録したメッセージを追加して前記メール送信端末にメッセージ表示を行うことを特徴とする。
本発明によれば、ＣＣアラート受信確認フォーマットの１３１バイトの情報を用いて送信できることを利用し、１回のメール送信シーケンスの中で送信成功を相手に通知するのみならず、自分の状況を通知するため、受信側への課金なく、また、送信側にとってもメール送信成功と同時に相手の状況を知ることができる。
【００１２】
【発明の実施の形態】
図１は、本発明のメール送信端末、あるいはメール受信端末（以下、特に断りがない限りメール送受信端末という）の内部構成を示すブロック図である。
メール送受信端末として、ここでは携帯電話端末を例示したが、他に、一般電話端末、ＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）等で代替してもよい。
メール送受信端末は、アンテナ１１と、無線部１２と、ＤＳＰ（Ｄｉｇｉｔａｌ  Ｓｉｇｎａｌ  Ｐｒｏｃｅｓｓｏｒ）１３と、Ａ／Ｄ（Ａｎａｌｏｇ／Ｄｉｇｉｔａｌ）コンバータ１４と、マイク１５と、Ｄ／Ａ（Ｄｉｇｉｔａｌ／Ａｎａｌｏｇ）コンバータ１６と、スピーカ１７と、制御部１８と、メモリ１９と、表示部２０と、操作部２１と、バス２２で構成される。
【００１３】
アンテナ１１は、通信に使用する電波の送信／受信を行う。メモリ１９は例えばＲＯＭ及び不揮発性のＲＡＭから構成され、制御部１８やディジタル信号処理プロセッサ（ＤＳＰ）１３が実行するプログラムや送受信メール、着信音データ、アドレス帳データ等を記憶する。無線部１２は、ＤＳＰ１３から受信した制御信号、音声信号等を所定の変調方式で変調しアンテナ１１へ出力し、アンテナ１１から入力された受信信号の復調を行い、その復調信号をＤＳＰ１３へ入力する。
Ｄ／Ａコンバータ１６はＤＳＰ１３の出力するディジタル音声信号や着信音等をアナログ音声信号に変換して、スピーカ１７に供給する。同様にＡ／Ｄコンバータ１４はマイク１５から入力されるアナログ音声信号をディジタル音声信号に変換してＤＳＰ１３に供給する。
【００１４】
操作部２１は、例えばテンキー（０〜９の数字キー）＊、＃等の記号キー及びオンフックキー、オフフックキー、電源ボタン、機能選択キー（ファンクションキー）等から構成され、ユーザと携帯電話端末とのインターフェースとして機能する。また、表示部２０は、例えば液晶ディスプレイや液晶タッチパネルなどからなり、ユーザの操作内容や操作メニュー、アドレス帳、携帯電話機の状態、時刻などを表示する。
なお、バス２２は、アドレス、データ、コントロールのためのラインが複数本で構成され、ここでは、ＤＳＰ１３、制御部１８、メモリ１９、表示部２０、操作部２１が共通接続され、上記した各ブロック間のデータ転送パスとなる。
【００１５】
また、本発明のメール送信端末としての構成要件である、メール受信端末から受信確認のための応答を受信してユーザに送信完了を通知する通知手段と、メール受信端末において応答に付加して送信するメッセージを受信し、そのメッセージを表示する表示手段、ならびに、メール受信端末としての構成要件である、あらかじめ、メールを受信したときに送信側に通知するメッセージを作成し登録する登録手段と、メールを受信したときに、応答に登録されたメッセージを付加して返信する返信手段、のそれぞれは、具体的に、制御部１８がメモリ１９に記録されたプログラムを読み出し実行することにより実現される機能実行手段である。
【００１６】
以下、図２に示すシーケンス図、図３に示すＵＵＩフォーマットのそれぞれを用いて図１に示すメール送受信端末の動作説明を行う。図２は、ＵＵＩを使ったメールサービスの一連のシーケンスを示す図であり、図３は、ＵＵＩの構成要素を示す。
図２において、メール受信端末側では、まず、ユーザが操作部２１を操作することにより、メールを受信したときに相手に通知するためのメッセージを作成し、自身で持つメモリ１０に設定登録しておく（Ｓ１）。相手に通知するメッセージとして、例えば、「今、ハワイに旅行に来ています。返事は７月１０日までまってね。花子」等々である。以上で準備作業が終了する。
【００１７】
メール送信端末側では、ユーザが操作部２１を操作することによりメールを作成し、メール作成完了後電話番号を入力してメール受信端末へ送信する（Ｓ２）。具体的に、回線にＣＣ呼が設定され、このとき、メール送信端末の表示部２０には「メール送信中」と表示される。
一方、メール受信端末側では、送信されてきたメールを受信し（Ｓ３）、受信したメールに異常がなければ（Ｓ４Ｙｅｓ）受信確認のための応答（ＣＣ応答）に、Ｓ１で作成し、設定登録済みのメッセージを添付して返信する（Ｓ５）。また、表示部２０に「メールを受信しました」と表示してユーザにメール受信の旨を通知する（Ｓ６）。
【００１８】
メール送信端末側では、応答メッセージに含まれている受信確認を認識してメール送信が正常に行われたことを確認し、表示部２０に「送信完了」を表示してユーザに送信完了を通知すると同時に、メール受信端末側から送信されてきたメッセージを送信完了画面に表示する（Ｓ７、Ｓ８）。以降、従来同様、ＣＣ切断、ＣＣ解放、ＣＣ解放完了の手順を実行する。
【００１９】
ＵＵＩの構成要素を図３に示す。図示されるように、ＵＵＩメールは、各１バイトの情報要素識別子、ユーザユーザ内容、プロトコル識別子、受信確認部、そして１３１バイトのオリジナルメッセージ部で構成される。
ここでは、応答メッセージのＵＵＩで１３１バイトの情報を扱い、情報を送信できることを利用し、１回のメール送信シーケンスの中で、送信成功を相手に伝えるだけでなく自身の状況をも伝えることを可能としたものである。
【００２０】
以上説明のように本発明は、メール受信端末から受信確認のための応答に付加されるメッセージを受信し、表示することで、メール送信成功と同時に受信側の状態を知ることができるメール送信端末を提供するものであり、また、受信確認のための応答にメッセージを付加して送信することで、受信端末ユーザが何らかの事情により端末を手元に持っていなくてもメール返信が可能であり、また、受信シーケンスの中で相手に自分の状況を通知するため、受信側に課金されることがないメール受信端末を提供するものである。
更に、本発明は、メール受信端末が受信確認のための応答にメッセージを付加して送信し、これを受けたメール送信端末がそのメッセージを表示することで、受信側は受信シーケンスの中で課金されることなく自分の状況を伝えることができ、また、送信側は、メール送信成功と同時に受信側の状況を知ることができる。従って、メール受信端末のユーザは何らかの理由で端末を手元に持っていなくてもメール返信が可能であり、また、海外等に出かけ、あるいは長時間の会議等で返信できない場合等、相手に自分の状況を一連のメール送信シーケンスの中で伝えることができるメール受信確認システムを提供するものである。
【００２１】
【発明の効果】
以上説明のように本発明によれば、受信側のユーザが何らかの理由で端末を手元に持っていなくても送信側にメールを返信することができ、海外等に出かけ、あるいは長時間の会議等ですぐに返信できない場合にその状況を一連の送信シーケンスの中で伝えることができる。従って、送信側に不快な思いをさせることがなくなる。
また、受信側は受信シーケンスの中で課金されることなく自分の状況を伝えることができ、更に、送信側は、メール送信成功と同時に受信側の状況を知ることができる。
【図面の簡単な説明】
【図１】本発明のメール送信端末、あるいはメール受信端末の内部構成を示すブロック図である。
【図２】本発明のメール送信端末とメール受信端末の動作を説明するために引用した動作シーケンス図である。
【図３】本発明において使用されるＵＵＩの構成要素を示す図である。
【図４】従来例の動作シーケンスを示す図である。
【符号の説明】
１１…アンテナ、１２…無線部、１３…ＤＳＰ、１４…Ａ／Ｄコンバータ、１５…マイク、１６…Ｄ／Ａコンバータ、１７…スピーカ、１８…制御部、１９…メモリ、２０…表示部、２１…操作部、２２…バス
【図１】
2004355548.tif 000003
【図２】
2004355548.tif 000004
【図３】
2004355548.tif 000005
【図４】
2004355548.tif 000006